(57)【特許請求の範囲】
【請求項１】
従来のエンコーディングされない２チャンネルのオーディオ信号に対しエンコーディング及びデコーディングせずに、直接２つのオーディオプロセッサに入力して２チャネルのオーディオ信号のサウンドを形成し、
抵抗器Ｒ１、Ｒ２の抵抗値比及び／または抵抗器Ｒ３、Ｒ４の抵抗比を変化させ、本来の該２チャンネルのオーディオ信号を前記抵抗値比に比例させて変化させることによってマルチチャンネルのオーディオ信号を形成し、更に該オーディオ信号をサラウンドに分配することを特徴とする２チャンネルオーディオシステムをマルチオーディオシステムに転換する方法。
【請求項２】
オペアンプを備え、２チャンネルのオーディオ信号の一部が分圧器を介して該オペアンプの“＋”の端子に入力するとともに、２チャンネルのオーディオ信号の他の一部がスイッチを経てから抵抗器Ｒ３を経て該オペアンプの“−”の端子に入力し、該オペアンプの出力が抵抗器Ｒ４を経て該オペアンプの“−”の端子にフィードバックされ、
該分圧器は抵抗器Ｒ１と抵抗器Ｒ２とを含み、該分圧器の出力が抵抗器Ｒ１と抵抗器Ｒ２の接点より取り出され、それぞれの抵抗器の抵抗値間の関係がＲ１＝Ｒ４、Ｒ２＝Ｒ３となり、
該スイッチがＳＷ１とＳＷ２の２つのスイッチを含み、かつ該ＳＷ１のスイッチは制御信号の制御によって開閉し、該ＳＷ２のスイッチはインバータを介して該制御信号の制御を受けて開閉し、該２チャンネルのオーディオ信号の他の一部が、該ＳＷ１のスイッチに入力してから該抵抗器Ｒ３に入力し、該ＳＷ２のスイッチは該ＳＷ１のスイッチから該抵抗器Ｒ３に入力するラインから引き出して接続し、更にアースに接続するように構成され、請求項１の方法に供することを特徴とするオーディオプロセッサ。
【発明の詳細な説明】
【０００１】
【発明の属する技術分野】
本発明は、２チャンネルオーディオシステムをマルチチャンネルオーディオシステムに転換する方法及びオーディオプロセッサに係り、特に元来の音声により各チャンネルごとに位相の合成処理のオーディオを行うことによって前記目的を達成する２チャンネルオーディオシステムをマルチチャンネルオーディオシステムに転換する方法及びオーディオプロセッサに関するものである。
【０００２】
【従来の技術】
近年、オーディオシステムの分野では、マルチチャンネルドルビーシステムと、それと類似するシステムが流行っており、それらのシステムは、既存のマルチチャンネルを先に２チャンネルになるようにエンコーディングしてから送信し、それから特別な設計を有するデコーダによって、元来のマルチチャンネルの信号に還元にて放送している。
【０００３】
【発明が解決しようとする課題】
しかしながら、２チャンネルのサウンドソースしかない場合では、前記のシステムによって２チャンネルで入力してマルチチャンネルを放送しようとすると、演算にエラーが発生し、その結果ディストーションを招く。そのため、２チャンネルのサウンドソースしか有しない場合、且つ、マルチチャンネル放送を実行しようとする場合、特別な設計を採用しなければならなくなるという問題点があった。
【０００４】
よって、本発明は、上記の問題点を解決し、従来のエンコーディングされない２チャンネルオーディオシステムを真のマルチチャンネルオーディオシステムに転換し、エンコーディングとでコーディングする必要がなく、元来の音声に対し各チャンネルごとに位相の合成処理を実行してからサラウンドに分配し、それらの処理によって元来の音声の再現に優れた効果を達成する、２チャンネルオーディオシステムをマルチチャンネルオーディオシステムに転換する方法及びオーディオプロセッサを提供することを目的とする。
【０００５】
【課題を解決するための手段】
上記課題を解決するため、本発明は、従来のエンコーディングされない２チャンネルシステムに対しエンコーディング及びデコーディングせずに、直接に元の２チャンネルのオーディオ信号のサウンドを各チャンネルごとに位相の合成処理をし、それからサラウンドに分配することにより、元来音声の再現に優れた効果を達成することができる。
【０００６】
上記課題を解決するため、本発明は、オペアンプを備え、２チャンネルのオーディオ信号の一部が分圧器を介して前記オペアンプの“＋”の端子に入力すると共に、２チャンネルのオーディオ信号の他の一部をスイッチを経てから抵抗器Ｒ３を経て前記オペアンプの“−”の端子に入力し、前記オペアンプの出力が抵抗器Ｒ４を経て前記オペアンプの“−”の端子にフィードバックされることにより、前記スイッチが前記の他のオーディオチャンネルの入力をコントロールすることができる。
【０００７】
上記課題を解決するため、本発明は、前記分圧器には抵抗器Ｒ１と抵抗器Ｒ２とを有し、２チャンネルのオーディオ信号のうちいずれか一つが前記分圧器の抵抗器Ｒ１と抵抗器Ｒ２に入力され、前記分圧器の出力が抵抗器Ｒ１と抵抗器Ｒ２の接点より取り出され、それぞれの抵抗器の抵抗値間の関係がＲ１＝Ｒ４、Ｒ２＝Ｒ３とすることにより、このような関係を有することによって前記オペアンプの“＋”の端子に入力されるオーディオ信号にスイッチの開閉の影響を受けさせないようにすることができる。
【０００８】
上記課題を解決するため、本発明は、前記スイッチには２つのスイッチを有し、そのうち一つのスイッチＳＷ１がある制御信号の制御によって開閉され、他のスイッチのＳＷ２がインバータを介して前記制御信号に制御されて開閉し、他のオーディオチャンネルがスイッチＳＷ１に入力されてから抵抗器Ｒ３に入力され、スイッチＳＷ２がスイッチＳＷ１と入力抵抗器Ｒ３との接続しあう箇所より伸び出してアースすることにより、マルチオーディオチャンネルを形成することができ、元来の音声の再現に最も優れた効果を達成できる。
【０００９】
上記課題を解決するため、本発明は、前記抵抗器Ｒ１、Ｒ２の抵抗値比及び／または抵抗器Ｒ３、Ｒ４の抵抗値比を変更することによって元来の２チャンネルのオーディオ信号を前記抵抗値比に比例させて変化させることにより、マルチオーディオチャンネルを形成することができる。また、サラウンドに分配させると、元来の音声の再現にもっとも優れた効果を達成できる。
【００１０】
上記課題を解決するため、本発明は、前記オペアンプ前記分圧器と前記スイッチと前記抵抗器と前記インバータとがすべてコンピュータソフトのディジタル模擬の方式によって実現できることにより、マルチオーディオチャンネルを形成することができ、元来の音声の再現に最も優れた効果を達成できる。
【００１１】
以下に添付図面を参照して本発明のある好適な実施の形態を詳細に説明するが、それらの構成は本発明の構造の絶対的な制限にならない。
【００１２】
【発明の実施の形態】
図１は、本発明の２チャンネルオーディオシステムをマルチチャンネルオーディオシステムに転換する場合のサールディング配置を示す説明図である。図１において、ユーザー１が中央に位置した状態で、九つのオーディオ装置１０〜１８がサ−ルディング配置されている。それぞれのオーディオ装置は、ＣＴ１０、Ｌ１１、ＣＲＴ１２、ＲＬ１３、ＲＣＴ１４、ＲＲ１５、ＣＲＲ１６、Ｒ１７、ＳＵＢ１８である。
【００１３】
それぞれのオーディオ装置１０〜１８には、すべて従来の２チャンネル音声Ｌｉｎ（左音声を代表する）とＲｉｎ（右チャンネルを代表する）を介して独自の特別な出力が生成される。
【００１４】
九つのオーディオ装置１０〜１８の特別出力は下記の通りである。
（１）
ＣＴ：Ｌｉｎ＋Ｒｉｎ
（２）
Ｌ：Ｌｉｎ
（３）
ＣＲＴ：２Ｌｉｎ−（１／２）Ｒｉｎ
（４）
ＲＬ：２Ｌｉｎ−Ｒｉｎ
（５）
ＲＣＴ：Ｌｉｎ＋Ｒｉｎ
（６）
ＲＲ：２Ｒｉｎ−Ｌｉｎ
（７）
ＣＲＲ：２Ｒｉｎ−（１／２）Ｌｉｎ
（８）
Ｒ：Ｒｉｎ
（９）
ＳＵＢ：（Ｌｉｎ＋Ｒｉｎ）×ＬＰＦ
そのうち、Ｌｉｎが左チャンネル音声を代表すると共に、Ｒｉｎが右チャンネルを代表し、ＬＰＦがローパスフィルタである。九つのオーディオ装置が相互の間に生成するオーディオ効果は図に示すようにそれぞれ２Ｌｉｎ＋Ｒｉｎ、３Ｌｉｎ―（１／２）Ｒｉｎ、４Ｌｉｎ−（１＋１／２）、Ｒｉｎ、３Ｌｉｎ、３Ｒｉｎ、４Ｒｉｎ−（１＋１／２）Ｌｉｎ、３Ｒｉｎ−（１／２）Ｌｉｎ、２Ｒｉｎ＋Ｌｉｎ及び中間の２Ｌｉｎ＋２Ｒｉｎである。
【００１５】
図２は、本発明のオーディオプロセッサの構成を示す電気回路図である。図２の電気回路図に示すように、左チャンネル音声Ｌｉｎと右チャンネル音声Ｒｉｎとがそれぞれ抵抗器を介してオペアンプＯＰ１、ＯＰ２に入力される。電気回路図の中間部には、制御信号ＣＴＲＬを有する。それにより、４つの切換装置ＳＷ１、ＳＷ２、ＳＷ３、ＳＷ４を制御し、且つインバータＩＮが設けられている。
【００１６】
制御信号ＣＴＲＬが高電位である場合に、ＳＷ１が断路し、ＳＷ２が導通する。この時の右チャンネル音声ＲｉｎがＯＰ１に入力できず、作用しない状態となり、ＯＰ１が端に左チャンネル音声Ｌｉｎの影響を受ける。この際、オペアンプの原理において、Ｂ点の電位ＬｏｕｔがＡ点電位×（Ｒ３＋Ｒ４）／Ｒ３となる。且つ、図２に示すようにＡ点電位がＬｉｎ×Ｒ２／（Ｒ１＋Ｒ２）となる。そのため、Ｌｏｕｔ＝Ｌｉｎ×Ｒ２／（Ｒ１＋Ｒ２）×（Ｒ３＋Ｒ４）／Ｒ３＝Ｌｉｎになる。
【００１７】
制御信号ＣＴＲＬが低電位である場合にＳＷ１が導通し、ＳＷ２が断路し、この時の右チャンネル音声Ｒｉｎが抵抗器Ｒ３を経てＯＰ１の“−”の端子に入力される。この際、オペアンプの原理において、右チャンネル音声ＲｉｎがＢ点で生じる出力効果はＲｉｎ×（−）Ｒ４／Ｒ３＝−１／２Ｒｉｎとなる。左チャンネル音声のＬｉｎのがＢ点での出力効果は前記のＬｉｎと同様になる。そのため、Ｂ点での合成電位がＬｏｕｔ＝Ｌｉｎ−１／２Ｒｉｎになる。
【００１８】
前記のオーディオプロセッサ電気回路は、特別な設計によってＲ１＝Ｒ４、Ｒ２＝Ｒ３になるように構成されるため、左チャンネル音声Ｌｉｎは本来の音声によってＬｏｕｔにて表現できる。例えば、右チャンネル音声Ｒｉｎに影響を与えようとする場合、単に制御信号ＣＴＲＬの電位を変更すればよく、そのため、ユーザー１は右チャンネルに加入される音声Ｒｉｎの効果をはっきりと分別できる。
【００１９】
前記のオーディオプロセッサ電気回路中において、Ｌｏｕｔ＝Ｌｉｎになるが、Ｒ１とＲ２の比を変更すると、ＬｏｕｔにおけるＬｉｎの前方の係数を変更できるようになる。また、Ｒ３とＲ４の比を変更すると、ＬｏｕｔにおけるＲｉｎの前方の係数を変更できるようになる。
【００２０】
同じように、制御信号ＣＴＲＬが低電位である場合に、ＳＷ３が断路し、ＳＷ４が導通する。この時の左チャンネル音声ＬｉｎがＯＰ２に入力できず、作用しない状態となり、ＯＰ２が端に左チャンネル音声Ｌｉｎの影響を受ける。この際、オペアンプの原理において、Ｄ点の電位ＲｏｕｔがＣ点電位×（Ｒ７＋Ｒ８）／Ｒ７となる。且つ、図２に示すようにＣ点電位がＲｉｎ×Ｒ６／（Ｒ５＋Ｒ６）となる。そのため、Ｒｏｕｔ＝Ｒｉｎ×Ｒ６／（Ｒ５＋Ｒ６）×（Ｒ７＋Ｒ８）／Ｒ７＝Ｒｉｎになる。
【００２１】
制御信号ＣＴＲＬが高電位である場合にＳＷ３が導通し、ＳＷ４が断路し、この時の左チャンネル音声Ｌｉｎが抵抗器Ｒ７を経てＯＰ２の“−”の端子に入力される。この際、オペアンプの原理において、左チャンネル音声ＬｉｎがＤ点で生じる出力効果はＬｉｎ×（−）Ｒ８／Ｒ７＝−１／２Ｌｉｎとなる。右チャンネル音声のＲｉｎのがＤ点での出力効果は前記のＲｉｎと同様になる。そのため、Ｄ点での合成電位がＲｏｕｔ＝Ｒｉｎ−１／２Ｌｉｎになる。
【００２２】
前記のオーディオプロセッサ電気回路は、特別な設計によってＲ５＝Ｒ８、Ｒ６＝Ｒ７になるため、右チャンネル音声Ｒｉｎは本来の音声でＲｏｕｔで表現できる。例えば、左チャンネル音声Ｌｉｎに影響を与えようとする場合、単に制御信号ＣＴＲＬの電位を変更すればよく、そのため、ユーザー１は左チャンネルに加入される音声Ｌｉｎの効果をはっきりと分別できる。
【００２３】
前記のオーディオプロセッサ電気回路において、Ｒｏｕｔ＝Ｒｉｎになるが、Ｒ５とＲ６の比を変更すると、ＲｏｕｔにおけるＲｉｎの前方の係数を変更できるようになる。また、Ｒ７とＲ８の比を変更すると、ＲｏｕｔにおけるＬｉｎの前方の計数を変更できるようになる。
【００２４】
図１に示すように、九つのオーディオ装置の特別な出力は、ＬｉｎとＲｉｎの前方の係数がそれぞれ異なっており、それは関連する抵抗器の抵抗値を変更することによって得られる結果である。
【００２５】
本発明において、前記オペアンプと前記分圧器と前記スイッチと前記抵抗器と前記インバータとがすべてコンピュータソフトのディジタル模擬の方式によって実現できる。
【００２６】
本発明は前記の説明の内容のみに狭義的に限定されるものではなく、本発明の特許請求の範囲の要旨に基づいて実施する全ての変更も本発明の特許請求の範囲内に含まれる。
【００２７】
【発明の効果】
本発明の２チャンネルオーディオシステムをマルチチャンネルオーディオシステムに転換する方法によれば、従来のエンコ−ディングされない２チャンネルのオーディオ信号に対しエンコーディング及びデコーディングせずに、直接に元の２チャンネルのオーディオ信号のサウンドを各チャンネルごとに位相の合成処理をし、それからサラウンドに分配することにより、元来音声の再現に優れた効果を達成することができる。
【００２８】
本発明のオーディオプロセッサによれば、オペアンプを備え、２チャンネルのオーディオ信号の一部が分圧器を介して前記オペアンプの“＋”の端子に入力すると共に、２チャンネルのオーディオ信号の他の一部をスイッチを経てから抵抗器Ｒ３を経て前記オペアンプの“−”の端子に入力し、前記オペアンプの出力が抵抗器Ｒ４を経て前記オペアンプの“−”の端子にフィードバックされることにより、前記スイッチ前記の他のオーディオチャンネルの入力をコントロールすることができる。
【００２９】
また、本発明のオーディオプロセッサによれば、前記分圧器には抵抗器Ｒ１と抵抗器Ｒ２とを有し、２チャンネルのオーディオ信号のうちのいずれか一つが前記分圧器の抵抗器Ｒ１と抵抗器Ｒ２に入力され、前記分圧器の出力が抵抗器Ｒ１と抵抗器Ｒ２の接点より取り出され、それぞれの抵抗器の抵抗値間の関係がＲ１＝Ｒ４、Ｒ２＝Ｒ３とすることにより、前記オペアンプの“＋”の端子に入力されるオーディオ信号にスイッチの開閉の影響を受けさせないようにすることができる。
【００３０】
また、本発明のオーディオプロセッサによれば、前記スイッチには２つのスイッチを有し、そのうち一つのスイッチＳＷ１は、制御信号の制御によって開閉され、他のスイッチＳＷ２がインバータを介して前記制御信号に制御されて開閉し、他のオーディオチャンネルがスイッチＳＷ１に入力されてから抵抗器Ｒ３に入力され、スイッチＳＷ２がスイッチＳＷ１と入力抵抗器Ｒ３との接続しあう箇所より伸び出してアースすることにより、マルチオーディオチャンネルを形成することができ、本来の音声の再現に最も優れた効果を達成できる。
【００３１】
また、本発明のオーディオプロセッサによれば、前記抵抗器Ｒ１、Ｒ２の抵抗値比及び／または抵抗器Ｒ３，Ｒ４の抵抗値比を変更することによって元来の２チャンネルのオーディオ信号を前記抵抗値比に比例させて変化させることにより、マルチオーディオチャンネルを形成することができる。また、サラウンドに分配させると、元来の音声の再現に最も優れた効果を達成できる。
【００３２】
また、本発明のオーディオプロセッサによれば、前記オペアンプと前記分圧器と前記切替え装置と前記抵抗器と前記インバータとがすべてコンピュータソフトのディジタル模擬の方式によって実現できることにより、マルチオーディオチャンネルを形成することができ、元来の音声の再現に最も優れた効果を達成できる。
【図面の簡単な説明】
【図１】  本発明の２チャンネルのオーディオ信号をマルチチャンネルオーディオシステムに転換する場合のサラウンド配置を示す説明図である。
【図２】  本発明のオーディオプロッセサの構成を示す電気回路図である。
【符号の説明】
１  ユーザー
２  オーディオプロセッサ電気回路
１０〜１８  オーディオ装置
ＳＷ１、ＳＷ２、ＳＷ３、ＳＷ４、                         スイッチ
ＯＰ１、ＯＰ２                            オペアンプ
ＩＮ  インバータ
【図１】
0003807612.tif 000002
【図２】
0003807612.tif 000003